(57)【要約】【課題】無線通信システムにおいて、省電力状態の基地局装置を考慮して移動局装置がエリア識別を行う。【解決手段】基地局装置は、自局が省電力状態に移行する可能性があるか否かを示す信号を報知し、移動局装置はＣＳＧセルのエリア登録時に前記信号を識別子に加えて記憶し、エリア識別時において前記信号を考慮してエリア識別を行う。【選択図】図３
2011223081.tif 000002
【特許請求の範囲】
【請求項１】
自局の省電力状態への移行可能性の有無を示す省電力情報を含む送信信号を生成する送信信号処理部と、前記生成した送信信号を移動局装置に対して送信する送信部とを備えることを特徴とする基地局装置。
【請求項２】
自局の周辺の基地局装置から取得した周辺セルの省電力状態の情報を含む送信信号を生成する送信信号処理部と、前記生成した送信信号を移動局装置に対して送信する送信部とを備えることを特徴とする基地局装置。
【請求項３】
移動局装置と通信を行う基地局装置であって、
前記移動局装置の送信信号を受信する受信部と、前記受信部で受信した信号から周辺セルの識別子情報を含むメッセージを復調する受信信号処理部と、前記メッセージに含まれる周辺セルの省電力状態を取得する上位レイヤと、取得した周辺セルの省電力情報を含む前記移動局装置への送信信号を生成する送信信号処理部と、前記生成した送信信号を前記移動局装置に対して送信する送信部とを備えることを特徴とする基地局装置。
【請求項４】
ＣＳＧセルのエリア識別をセルの識別子を用いて行う移動局装置であって、
周辺セルの識別子と省電力情報とを少なくとも保持するＣＳＧセル−周辺セル情報対応テーブルと、エリア識別部とを備え、
前記エリア識別部が、受信信号に含まれる周辺セルの識別子とＣＳＧセル−周辺セル情報対応テーブルの識別子とを比較してエリア識別を行う際に、前記省電力情報を用いることを特徴とする移動局装置。
【請求項５】
ＣＳＧセルのエリア識別をセルの識別子を用いて行う移動局装置であって、
周辺セルの識別子を少なくとも保持するＣＳＧセル−周辺セル情報対応テーブルと、エリア識別部とを備え、
在圏セルから周辺セル省電力情報を受信し、受信信号に含まれる周辺セルの識別子とＣＳＧセル−周辺セル情報対応テーブルの識別子を比較してエリア識別を行う際に、前記周辺セル省電力情報を用いることを特徴とする移動局装置。
【請求項６】
ＣＳＧセルのエリア識別をセルの識別子を用いて行う移動局装置であって、
周辺セルの識別子と省電力情報とを少なくとも保持するＣＳＧセル−周辺セル情報対応テーブルと、エリア識別部とを備え、
前記エリア識別部は、受信信号に含まれる周辺セルの識別子とＣＳＧセル−周辺セル情報対応テーブルの識別子とを比較してエリア識別を行う際に、ＣＳＧセルから取得した前記省電力情報を用いることを特徴とする移動局装置。
【請求項７】
基地局装置と移動局装置とを含む無線通信システムであって、
前記基地局装置は、自局の省電力状態への移行可能性の有無を含む省電力情報を含む送信信号を生成する送信信号処理部と、前記生成した送信信号を前記移動局装置に対して送信する送信部とを備え、
前記移動局装置は、周辺セルの識別子と省電力情報とを少なくとも保持するＣＳＧセル−周辺セル情報対応テーブルと、エリア登録部とを備え、
前記エリア登録部は、少なくとも受信信号に含まれる前記基地局装置のセルの識別子と省電力情報とをＣＳＧセル−周辺セル情報対応テーブルに格納することを特徴とする無線通信システム。
【請求項８】
基地局装置と移動局装置とを含む無線通信システムであって、
前記基地局装置は、自局の周辺の基地局から取得した周辺セルの省電力状態の情報を含む送信信号を生成する送信信号処理部と、前記生成した送信信号を前記移動局装置に対して送信する送信部とを備え、
前記移動局装置は、少なくとも周辺セルの識別子を保持するＣＳＧセル−周辺セル情報対応テーブルと、エリア識別部とを備え、
前記移動局装置は、前記基地局装置から前記周辺セルの省電力情報を受信し、受信信号に含まれる周辺セルの識別子とＣＳＧセル−周辺セル情報対応テーブルの識別子とを比較してエリア識別を行う際に、前記周辺セル省電力情報を用いることを特徴とする無線通信システム。
【請求項９】
基地局装置と移動局装置とを含む無線通信システムであって、
前記基地局装置は、前記移動局装置の送信信号を受信する受信部と、前記受信部で受信した信号から周辺セルの識別子情報を含むメッセージを復調する受信信号処理部と、前記メッセージに含まれる周辺セルの省電力状態を取得する上位レイヤと、取得した周辺セルの省電力情報を含む前記移動局装置への送信信号を生成する送信信号処理部と、前記生成した送信信号を前記移動局装置に対して送信する送信部とを備え、
前記移動局装置は、周辺セルの識別子と省電力情報とを少なくとも保持するＣＳＧセル−周辺セル情報対応テーブルと、エリア登録部とを備え、
前記移動局装置は、前記省電力情報を前記基地局装置から取得し、前記エリア登録部が、取得した信号に含まれる前記基地局装置のセルの少なくとも識別子と省電力情報とをＣＳＧセル−周辺セル情報対応テーブルに格納することを特徴とする無線通信システム。
【請求項１０】
基地局装置と移動局装置とを含む無線通信システムの通信方法であって、
前記基地局装置において、自局の省電力状態への移行可能性の有無を含む省電力情報を含む送信信号を生成するステップと、前記生成した送信信号を前記移動局装置に対して送信するステップとを少なくとも含み、
前記移動局装置において、エリア登録時に前記基地局装置のセルの識別子と省電力情報とを少なくとも保持するステップを少なくとも含むことを特徴とする通信方法。
【請求項１１】
基地局装置と移動局装置とを含む無線通信システムの通信方法であって、
前記基地局装置において、自局の周辺セルの省電力状態を含む省電力情報を含む送信信号を生成するステップと、前記生成した送信信号を前記移動局装置に対して送信するステップとを少なくとも含み、
前記移動局装置において、前記基地局装置のセルから前記周辺セル省電力情報を受信するステップと、受信信号に含まれる周辺セルの識別子とＣＳＧセル−周辺セル情報対応テーブルの識別子とを比較してエリア識別を行う際に、前記周辺セルの省電力情報を用いるステップとを含むことを特徴とする通信方法。
【請求項１２】
基地局装置と移動局装置とを含む無線通信システムの通信方法であって、
前記基地局装置において、前記移動局装置から周辺セルの識別子情報を含むメッセージを受信するステップと、前記メッセージに含まれる周辺セルの省電力状態を周辺の前記基地局装置から取得するステップと、取得した周辺セルの省電力情報を前記移動局装置へ送信するステップとを含むことを特徴とする通信方法。
【請求項１３】
前記エリア識別部が、受信信号に含まれる周辺セルの識別子とＣＳＧセル−周辺セル情報対応テーブルの識別子とを比較してエリア識別を行う際に、省電力情報として同期シグナルを送信していない可能性のあるセルの識別子が、受信された周辺セルの識別子に含まれない場合であってもエリア外と判断しないことを特徴とする請求項４または請求項６に記載の移動局装置。
【発明の詳細な説明】
【技術分野】
【０００１】
本発明は、無線通信システム、基地局装置、移動局装置および通信方法に関し、特に、基地局装置の検出方法に関する。
【背景技術】
【０００２】
標準化プロジェクトである３ＧＰＰ（3rd Generation Partnership Project）において、ＯＦＤＭ（Orthogonal Frequency-Division Multiplexing）通信方式やリソースブロックと呼ばれる所定の周波数・時間単位の柔軟なスケジューリングの採用によって、高速な通信を実現させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降E-UTRAと称する）の議論が行なわれている。また、３ＧＰＰでは、より高速なデータ伝送を実現し、Ｅ−ＵＴＲＡの上位互換性を持つＡｄｖａｎｃｅｄ  Ｅ−ＵＴＲＡの議論が開始されている。
【０００３】
現在、Ｅ−ＵＴＲＡおよびＡｄｖａｎｃｅｄ  Ｅ−ＵＴＲＡにおいて、家庭やオフィスに設置されるホーム基地局装置が検討されている。３ＧＰＰが規定する第３世代のホーム基地局装置はホームノードＢ（Home NodeB）と称される。また、Ｅ−ＵＴＲＡ及びＡｄｖａｎｃｅｄ  Ｅ−ＵＴＲＡにおけるホーム基地局装置は、ホームイーノードＢ（Home eNodeB）と称される。ホーム基地局装置は移動局装置と通信可能なエリア（セル）を管理し、当該セルはホームセルと称される。ホームセルは、移動局装置と通信可能なエリアの大きさに応じてフェムトセルやピコセルとも称される。また、通信中の基地局装置のセルは在圏セルであり、通信していない基地局装置のセルは周辺セルと称される。すなわち、在圏セルのエリア内に包含される他のセルも周辺セルと称する。また、アクセス可能なユーザーを事前に登録することによって、利用可能なユーザーを制限したホーム基地局装置のホームセルはＣＳＧ（Closed Subscriber Group）セルと称される。ＣＳＧセルは、ＣＳＧ−ＩＤ（CSG Identity）を報知情報によって移動局装置に送信し、移動局装置は、当該ＣＳＧ−ＩＤを内部に保持しているＣＳＧセルリストと照合することでアクセス可能なセルであるかどうかを判断する（非特許文献１）。
【０００４】
移動局装置は、自分自身が登録されたＣＳＧセルを検出するためにはＣＳＧセルの識別子と前記報知情報を取得する必要があり、特に通常のマクロセルとＣＳＧセルとが異なる周波数帯域で提供されている場合には、常に検出処理を行うことは電力消費の観点から困難である。そのため、移動局装置において登録されたＣＳＧセルのエリア内に居ることを自律的に識別し、エリア内に居る場合にのみ検出処理を行う仕組みがＥ−ＵＴＲＡで検討されている。移動局装置がＣＳＧセルのエリア内に居るか否かを検出する方法は任意の方法を用いることができるが、例として、ＧＰＳ（Global Positioning System：全地球測位システム）による位置特定や複数の周辺セルの識別子（例えば物理セル識別子やセルグローバル識別子）を基に検出する方法などが考えられている（非特許文献２）。あるいは周辺セルの識別子を利用する方法の拡張として、移動局装置から位置サービス要求をネットワークに対して行い、ネットワークは要求した移動局装置に対して複数の基地局装置から位置測定用の信号を送るなどのサポートを行い、移動局装置は前記サポートを利用して自局の位置を特定する方法なども検討されている（非特許文献３）。
【０００５】
また、上記の携帯電話に限らず、ＩＥＥＥ（The Institute of Electrical and Electronics Engineers, Inc.）で制定された無線ＬＡＮ規格ＩＥＥＥ８０２．１１ｇなどのアクセスポイント（AP; Access Point）を利用する位置特定も実用化されている。すなわち、ネットワーク上のサーバで管理されているＭＡＣアドレスと地理情報との紐付けテーブルを利用して、ＡＰから送信されたパケットに含まれるＡＰのＭＡＣアドレスから自端末の位置を特定することができる。
さらには特許文献１においてはＡＰから報知されるＳＳＩＤの一部に緯度・経度情報を入れることにより位置特定を可能とする手法が提示されている。
【先行技術文献】
【特許文献】
【０００６】
【特許文献１】特開２００９−８９３９６
【非特許文献】
【０００７】
【非特許文献１】３ＧＰＰ  ＴＳ２２．２２０，Ｓｅｒｖｉｃｅ ｒｅｑｕｉｒｅｍｅｎｔｓ ｆｏｒ Ｈｏｍｅ ＮｏｄｅＢｓ ａｎｄ Ｈｏｍｅ ｅＮｏｄｅＢｓ．Ｖ９．３．０（ｈｔｔｐ：／／ｗｗｗ．３ｇｐｐ．ｏｒｇ／ｆｔｐ／Ｓｐｅｃｓ／ｈｔｍｌ−ｉｎｆｏ／２２２２０．ｈｔｍ）
【非特許文献２】Ｈｕａｗｅｉ，“Ｃｅｌｌ  ｒｅ−ｓｅｌｅｃｔｉｏｎ  ｆｏｒ  ｈＮＢ”，Ｒ２−０７４８３１，３ＧＰＰ  ＴＳＧ−ＲＡＮ  ＷＧ２  Ｍｅｅｔｉｎｇ  ＃６０，Ｊｅｊｕ，Ｓｏｕｔｈ  Ｋｏｒｅａ，５−９ｔｈ  Ｎｏｖｅｍｂｅｒ  ２００７
【非特許文献３】３ＧＰＰ  ＴＳ３６．３０５，Ｓｔａｇｅ  ２  ｆｕｎｃｔｉｏｎａｌ  ｓｐｅｃｉｆｉｃａｔｉｏｎ  ｏｆ  Ｕｓｅｒ Ｅｑｕｉｐｍｅｎｔ（ＵＥ）  ｐｏｓｉｔｉｏｎｉｎｇ  ｉｎ  Ｅ−ＵＴＲＡＮ．Ｖ９．１．０（ｈｔｔｐ：／／ｗｗｗ．３ｇｐｐ．ｏｒｇ／ｆｔｐ／Ｓｐｅｃｓ／ｈｔｍｌ−ｉｎｆｏ／３６３０５．ｈｔｍ）
【非特許文献４】Ｅｒｉｃｓｓｏｎ，Ｓａｍｓｕｎｇ，Ｏｒａｎｇｅ，ＮＴＴ  ＤＯＣＯＭＯ，Ｖｏｄａｆｏｎｅ  Ｇｒｏｕｐ，Ｈｕａｗｅｉ，Ｄｅｕｔｓｃｈｅ  Ｔｅｌｅｋｏｍ，ＴＮＯ，“ＬＴＥ  ｅｎｅｒｇｙ  ｓａｖｉｎｇ  ｓｏｌｕｔｉｏｎ  ｐｒｏｐｏｓａｌ  ｆｏｌｌｏｗｉｎｇ  ｄｉｓｃｕｓｓｉｏｎｓ  ａｔ  ＲＡＮ３＃６６ｂｉｓ”，Ｒ３−１０１０４６，３ＧＰＰ  ＴＳＧ−ＲＡＮ  ＷＧ３  Ｍｅｅｔｉｎｇ  ＃６７，Ｓａｎ  Ｆｒａｎｃｉｓｃｏ，ＵＳＡ，２２−２６ｔｈ  Ｆｅｖｒｕａｒｙ  ２０１０
【発明の概要】
【発明が解決しようとする課題】
【０００８】
従来の位置サービス要求は、複数の基地局装置のリソースを位置特定のために費やす必要があるため、ＣＳＧセルのエリア検出のために多くの移動局装置が要求を行うことは好ましくない。また、前記の無線ＬＡＮの位置特定手法および特許文献１記載の手法は、現状の携帯電話システムにおいては緯度・経度情報を移動局装置に対して報知しておらず、また、セルの大きさは、無線ＬＡＮのエリアの大きさと比較して大きいため、少数のセルの識別子のみを用いてＣＳＧセルのエリア検出を行うことは困難であり、より多くのセルの識別子を用いてエリア検出の精度を高めることが望ましい。
しかしながら一方、Ｅ−ＵＴＲＡやＡｄｖａｎｃｅｄ  Ｅ−ＵＴＲＡでは省電力化や干渉緩和のために基地局装置やリレー局装置（コアネットワークとの接続に有線ではなく他の基地局装置との無線接続を用いる基地局装置）のセルにおける無線送信の一部あるいはすべてを停止する状態を持つことが提案されている（非特許文献４）。これは特にセル半径の大きなマクロセル内に含まれるセル半径の小さなセルなどに対して有用となる技術である。
【０００９】
前記の無線送信停止技術を導入すると、周辺セルの識別子をもとにエリア識別を行う移動局装置は、周辺セルの一部が省電力状態にある場合には、エリア識別を行うためのセルの識別子の一部を取得することができず、ＣＳＧセルのエリア検出に失敗するという問題が生じてしまう。
【００１０】
本発明は上記問題点に鑑み、移動局装置がエリア識別を効率的に行なうことができる無線通信システム、基地局装置、移動局装置および通信方法を提供することを目的としている。
【課題を解決するための手段】
【００１１】
（１）上記の目的を達成するために、本発明は、以下のような手段を講じた。すなわち、本発明に係る基地局装置は、自局の省電力状態への移行可能性の有無を示す省電力情報を含む送信信号を生成する送信信号処理部と、前記生成した送信信号を移動局装置に対して送信する送信部とを備えることを特徴とする。
【００１２】
このように、基地局装置の省電力状態への移行の可能性を予め移動局装置に報知することにより、移動局装置がエリア識別を行う際に前記基地局装置のセルの識別子が受信信号に含まれない場合であってもエリア外との判断を行わないようにすることが可能となる。
【００１３】
（２）また、本発明に係る基地局装置は、自局の周辺の基地局装置から取得した周辺セルの省電力状態の情報を含む送信信号を生成する送信信号処理部と、前記生成した送信信号を移動局装置に対して送信する送信部とを備えることを特徴とする。
【００１４】
このように、周辺セルの省電力状態を移動局装置に報知することにより、移動局装置がエリア識別を行う際に、省電力状態の基地局装置のセルの識別子が受信信号に含まれない場合であってもエリア外との判断を行わないようにすることが可能となる。
【００１５】
（３）また、本発明に係る基地局装置は、移動局装置と通信を行う基地局装置であって、前記移動局装置の送信信号を受信する受信部と、前記受信部で受信した信号から周辺セルの識別子情報を含むメッセージを復調する受信信号処理部と、前記メッセージに含まれる周辺セルの省電力状態を取得する上位レイヤと、取得した周辺セルの省電力情報を含む前記移動局装置への送信信号を生成する送信信号処理部と、前記生成した送信信号を前記移動局装置に対して送信する送信部とを備えることを特徴とする。
【００１６】
このように、周辺セルの省電力状態への移行の可能性を予めＣＳＧセルの基地局装置から移動局装置に通知することにより、移動局装置がエリア識別を行う際に前記基地局装置のセルの識別子が受信信号に含まれない場合であってもエリア外との判断を行わないようにすることが可能となり、また、基地局装置は、自局の省電力情報を報知する必要がなくなり、無線リソースの節約にもなる。
【００１７】
（４）また、本発明に係る移動局装置は、ＣＳＧセルのエリア識別をセルの識別子を用いて行う移動局装置であって、周辺セルの識別子と省電力情報とを少なくとも保持するＣＳＧセル−周辺セル情報対応テーブルと、エリア識別部とを備え、前記エリア識別部が、受信信号に含まれる周辺セルの識別子とＣＳＧセル−周辺セル情報対応テーブルの識別子とを比較してエリア識別を行う際に、前記省電力情報を用いることを特徴とする。
【００１８】
このように、基地局装置の省電力状態への移行の可能性を保持しておくことにより、エリア識別を行う際に前記基地局装置のセルの識別子が受信信号に含まれない場合であってもエリア外との判断を行わないようにすることが可能となる。
【００１９】
（５）また、本発明に係る移動局装置は、ＣＳＧセルのエリア識別をセルの識別子を用いて行う移動局装置であって、周辺セルの識別子を少なくとも保持するＣＳＧセル−周辺セル情報対応テーブルと、エリア識別部とを備え、在圏セルから周辺セル省電力情報を受信し、受信信号に含まれる周辺セルの識別子とＣＳＧセル−周辺セル情報対応テーブルの識別子を比較してエリア識別を行う際に、前記周辺セル省電力情報を用いることを特徴とする。
【００２０】
このように、基地局装置から周辺セルの省電力状態を取得することにより、移動局装置がエリア識別を行う際に、省電力状態の基地局装置のセルの識別子が受信信号に含まれない場合であってもエリア外との判断を行わないようにすることが可能となる。
【００２１】
（６）また、本発明に係る移動局装置は、ＣＳＧセルのエリア識別をセルの識別子を用いて行う移動局装置であって、周辺セルの識別子と省電力情報とを少なくとも保持するＣＳＧセル−周辺セル情報対応テーブルと、エリア識別部とを備え、前記エリア識別部は、受信信号に含まれる周辺セルの識別子とＣＳＧセル−周辺セル情報対応テーブルの識別子とを比較してエリア識別を行う際に、ＣＳＧセルから予め取得した前記省電力情報を用いることを特徴とする。
【００２２】
このように、移動局装置が、周辺セルの省電力状態への移行の可能性を予めＣＳＧセルの基地局装置から取得することにより、エリア識別を行う際に一部のセルの識別子が受信信号に含まれない場合であっても、前記識別子のセルが省電力状態への移行の可能性がある場合には、エリア外との判断を行わないようにすることが可能となる。
【００２３】
（７）また、本発明に係る無線通信システムは、基地局装置と移動局装置とを含む無線通信システムであって、前記基地局装置は、自局の省電力状態への移行可能性の有無を含む省電力情報を含む送信信号を生成する送信信号処理部と、前記生成した送信信号を前記移動局装置に対して送信する送信部とを備え、前記移動局装置は、周辺セルの識別子と省電力情報とを少なくとも保持するＣＳＧセル−周辺セル情報対応テーブルと、エリア登録部とを備え、前記エリア登録部は、少なくとも受信信号に含まれる前記基地局装置のセルの識別子と省電力情報とをＣＳＧセル−周辺セル情報対応テーブルに格納することを特徴とする。
【００２４】
このように、基地局装置の省電力状態への移行の可能性を予め移動局装置に報知し、移動局装置がエリア識別を行う際に前記基地局装置のセルの識別子が受信信号に含まれない場合であってもエリア外との判断を行わないようにすることにより、効率的に移動局装置にＣＳＧセルを検出させることが可能となる。
【００２５】
（８）また、本発明に係る無線通信システムは、基地局装置と移動局装置とを含む無線通信システムであって、前記基地局装置は、自局の周辺の基地局から取得した周辺セルの省電力状態の情報を含む送信信号を生成する送信信号処理部と、前記生成した送信信号を前記移動局装置に対して送信する送信部とを備え、前記移動局装置は、少なくとも周辺セルの識別子を保持するＣＳＧセル−周辺セル情報対応テーブルと、エリア識別部とを備え、前記移動局装置は、前記基地局装置から前記周辺セルの省電力情報を受信し、受信信号に含まれる周辺セルの識別子とＣＳＧセル−周辺セル情報対応テーブルの識別子とを比較してエリア識別を行う際に、前記周辺セル省電力情報を用いることを特徴とする。
【００２６】
このように、基地局装置が周辺セルの省電力状態を移動局装置に報知し、移動局装置がエリア識別を行う際に、省電力状態の基地局装置のセルの識別子が受信信号に含まれない場合であってもエリア外との判断を行わないようにすることにより、効率的に移動局装置にＣＳＧセルを検出させることが可能となる。
【００２７】
（９）また、本発明に係る無線通信システムは、基地局装置と移動局装置とを含む無線通信システムであって、前記基地局装置は、前記移動局装置の送信信号を受信する受信部と、前記受信部で受信した信号から周辺セルの識別子情報を含むメッセージを復調する受信信号処理部と、前記メッセージに含まれる周辺セルの省電力状態を取得する上位レイヤと、取得した周辺セルの省電力情報を含む前記移動局装置への送信信号を生成する送信信号処理部と、前記生成した送信信号を前記移動局装置に対して送信する送信部とを備え、前記移動局装置は、周辺セルの識別子と省電力情報とを少なくとも保持するＣＳＧセル−周辺セル情報対応テーブルと、エリア登録部とを備え、前記移動局装置は、前記省電力情報を前記基地局装置から取得し、前記エリア登録部が、取得した信号に含まれる前記基地局装置のセルの少なくとも識別子と省電力情報とをＣＳＧセル−周辺セル情報対応テーブルに格納することを特徴とする。
【００２８】
このように、周辺セルの省電力状態への移行の可能性を予めＣＳＧセルの基地局装置から移動局装置に通知し、移動局装置がエリア識別を行う際に前記基地局装置のセルの識別子が受信信号に含まれない場合であってもエリア外との判断を行わないようにすることにより、効率的に移動局装置にＣＳＧセルを検出させることが可能となる。また、基地局装置は、自局の省電力情報を報知する必要がなくなり、無線リソースの節約にもなる。
【００２９】
（１０）また、本発明に係る通信方法は、基地局装置と移動局装置とを含む無線通信システムの通信方法であって、前記基地局装置において、自局の省電力状態への移行可能性の有無を含む省電力情報を含む送信信号を生成するステップと、前記生成した送信信号を前記移動局装置に対して送信するステップとを少なくとも含み、前記移動局装置において、エリア登録時に前記基地局装置のセルの識別子と省電力情報とを少なくとも保持するステップを少なくとも含むことを特徴とする。
【００３０】
（１１）また、本発明に係る通信方法は、基地局装置と移動局装置とを含む無線通信システムの通信方法であって、前記基地局装置において、自局の周辺セルの省電力状態を含む省電力情報を含む送信信号を生成するステップと、前記生成した送信信号を前記移動局装置に対して送信するステップとを少なくとも含み、前記移動局装置において、前記基地局装置のセルから前記周辺セル省電力情報を受信するステップと、受信信号に含まれる周辺セルの識別子とＣＳＧセル−周辺セル情報対応テーブルの識別子とを比較してエリア識別を行う際に、前記周辺セルの省電力情報を用いるステップとを含むことを特徴とする。
【００３１】
（１２）また、本発明に係る通信方法は、基地局装置と移動局装置とを含む無線通信システムの通信方法であって、前記基地局装置において、前記移動局装置から周辺セルの識別子情報を含むメッセージを受信するステップと、前記メッセージに含まれる周辺セルの省電力状態を周辺の前記基地局装置から取得するステップと、取得した周辺セルの省電力情報を前記移動局装置へ送信するステップとを含むことを特徴とする。
【００３２】
（１３）また、本発明に係る移動局装置は、前記エリア識別部が、受信信号に含まれる周辺セルの識別子とＣＳＧセル−周辺セル情報対応テーブルの識別子とを比較してエリア識別を行う際に、省電力情報として同期シグナルを送信していない可能性のあるセルの識別子が、受信された周辺セルの識別子に含まれない場合であってもエリア外と判断しないことを特徴とする。
【００３３】
このように、エリア識別を行う際に前記基地局装置のセルの識別子が受信信号に含まれない場合であっても、前記識別子のセルが同期シグナルを送信しない省電力状態である可能性がある場合に、エリア外との判断を行わないようにすることが可能となる。
【発明の効果】
【００３４】
本発明によれば、移動局装置がエリア識別を効率的に行うことができる無線通信システム、基地局装置、移動局装置および通信方法を提供することが可能となる。
【図面の簡単な説明】
【００３５】
【図１】本発明における無線通信システムの概略構成の一例を示す図である。
【図２】本発明の第１の実施形態における基地局装置の一例を示すブロック図である。
【図３】本発明の第１の実施形態における移動局装置の一例を示すブロック図である。
【図４】本発明の第２の実施形態における基地局装置の一例を示すブロック図である。
【図５】本発明の第２の実施形態における移動局装置の一例を示すブロック図である。
【図６】本発明の第３の実施形態における基地局装置の一例を示すブロック図である。
【図７】本発明の第３の実施形態における移動局装置の一例を示すブロック図である。
【図８】本発明の第３の実施形態における省電力情報取得手順を示したシーケンスチャートである。
【発明を実施するための形態】
【００３６】
まず、各実施形態の具体的な説明に入る前に、本発明で用いられる通信技術の概要について簡単に説明する。
【００３７】
（１）物理チャネル
ＥＵＴＲＡ及びＡｄｖａｎｃｅｄ  ＥＵＴＲＡで使用される主な物理チャネル（または物理シグナル）について説明を行なう。物理チャネルは、ＥＵＴＲＡ、及びＡｄｖａｎｃｅｄ  ＥＵＴＲＡにおいて、今後追加、または、その構造が変更される可能性もあるが、変更された場合でも本発明の各実施形態の説明には影響しない。
【００３８】
同期シグナル（Synchronization Signals）は、３種類のプライマリ同期シグナルと、周波数領域で互い違いに配置される３１種類の符号から構成されるセカンダリ同期シグナルとで構成され、プライマリ同期シグナルとセカンダリ同期シグナルの信号の組み合わせによって、基地局装置を識別する５０４通りの物理セル識別子（Physical Cell Identifier; PCI）と、無線同期のためのフレームタイミングが示される。移動局装置は、セルサーチによって受信した同期シグナルの物理セル識別子を特定する。
【００３９】
物理報知情報チャネル（PBCH; Physical Broadcast Channel）は、セル内の移動局装置で共通に用いられる制御パラメータ（報知情報（システム情報）；System information）を通知する目的で送信される。物理報知情報チャネルで通知されない報知情報は、下りリンク制御チャネルで無線リソースが通知され、下りリンク共用チャネルによってレイヤ３メッセージ（システムインフォメーション）で送信される。報知情報として、セル個別の識別子を示すセルグローバル識別子（CGI; Cell Global Identifier）、ページングによる待ち受けエリアを管理するトラッキングエリア識別子（TAI; Tracking Area Identifier）などが通知される。
【００４０】
下りリンクリファレンスシグナルは、セル毎に所定の電力で送信されるパイロットシグナルである。また、下りリンクリファレンスシグナルは、所定の規則に基づき周波数・時間位置で周期的に繰り返される既知の信号である。移動局装置は、下りリンクリファレンスシグナルを受信することでセル毎の受信品質を測定する。また、移動局装置は、下りリンクリファレンスシグナルと同時に送信される下りリンク制御チャネル、または下りリンク共用チャネルの復調のための参照用の信号としても下りリンクリファレンスシグナルを使用する。下りリンクリファレンスシグナルに使用される系列は、セル毎に識別可能な系列が用いられる。なお、下りリンクリファレンスシグナルは下りリンク参照信号やセル固有ＲＳ（Cell-specific reference signals）と記載される場合もあるが、その用途と意味は同じである。
【００４１】
下りリンク制御チャネル（PDCCH; Physical Downlink Control Channel）は、各サブフレームの先頭からいくつかのＯＦＤＭシンボルで送信され、移動局装置に対して基地局装置のスケジューリングに従った無線リソース割り当て情報や、送信電力の増減の調整量を指示する目的で使用される。移動局装置は、下りリンクデータや下りリンク制御データであるレイヤ３メッセージ（ページング、ハンドオーバーコマンドなど）を送受信する前に自局宛の下りリンク制御チャネルを監視（モニタ）し、自局宛の下りリンク制御チャネルを受信することで、送信時には上りリンクグラント、受信時には下りリンクグラントと呼ばれる無線リソース割り当て情報を下りリンク制御チャネルから取得する必要がある。
【００４２】
上りリンク制御チャネル（PUCCH; Physical Uplink Control Channel）は、下りリンク共用チャネルで送信されたデータの受信確認応答や下りリンクの伝搬路情報（CQI; Channel Quality Indicator）、上りリンクの無線リソース要求であるスケジューリングリクエスト（SR; Scheduling Request）を行なうために使用される。
【００４３】
下りリンク共用チャネル（PDSCH; Physical Downlink Shared Channel）は、下りリンクデータの他、下りリンク制御データであるレイヤ３メッセージとしてページングや報知情報を通知するためにも使用される。下りリンク共用チャネルの無線リソース割り当て情報は、下りリンク制御チャネルで示される。
【００４４】
上りリンク共用チャネル（PUSCH; Physical Uplink Shared Channel）は、主に上りリンクデータと上りリンク制御データを送信し、下りリンクの受信品質やＡＣＫ／ＮＡＣＫなどの制御データを含めることも可能である。また、下りリンクと同様に上りリンク共用チャネルの無線リソース割り当て情報は、下りリンク制御チャネルで示される。
【００４５】
ランダムアクセスチャネル（PRACH; Physical Random Access Channel）は、プリアンブル系列を通知するために使用されるチャネルであり、ガードタイムを持つ。ランダムアクセスチャネルは、移動局装置の基地局装置へのアクセス手段として用いられる。移動局装置は、上りリンク制御チャネル未設定時の無線リソース要求や、上りリンク送信タイミングを基地局装置の受信タイミングウィンドウに合わせるために必要な送信タイミング調整情報（タイミングアドバンス（TA; Timing Advance）とも呼ばれる）を基地局装置に要求するためにランダムアクセスチャネルを用いる。送信タイミング調整情報を受信した移動局装置は、送信タイミング調整情報の有効時間（TA timer）を設定し、有効時間中は送信タイミング調整状態、有効期間外は、送信タイミング非調整状態として状態を管理する。
なお、それ以外の物理チャネルは、本発明の各実施形態に関わらないため詳細な説明は省略する。
【００４６】
（２）無線通信システム
本発明に係る無線通信システムについて、図１を参照して説明する。以降の説明では無線通信システムとしてＥ−ＵＴＲＡおよびＡｄｖａｎｃｅｄ  Ｅ−ＵＴＲＡを想定しているが、これに限定されるものではない。
【００４７】
前記移動通信システムは、基地局装置と、移動局装置とを備えており、図１は、基地局装置Ｎａ、Ｎｂ、Ｎｃ、Ｎｄ、移動局装置Ｕａ、Ｕｂが配置されていることを示す図である。ここで、基地局装置ＮａのセルをＣａ、基地局装置ＮｂのセルをＮｂ、基地局装置ＮｃのセルをＣｃ、基地局装置ＮｄのセルをＣｄと仮定する。セルＣｄは移動局装置ＵａおよびＵｂがアクセス可能なＣＳＧセルであってセルＣａ，Ｃｂ、Ｃｃとは異なる周波数帯域のセルであると仮定する。ここでは便宜上ひとつの基地局装置がひとつのセルを持つ例を挙げているが、複数のセルを持ってもよい。また、基地局装置Ｎｃは省電力状態に移行する可能性があるものとする。
【００４８】
移動局ＵａおよびＵｂは、ＣＳＧセルのエリア内に居るか否かを判断するために予めＣＳＧセルの周辺セルの識別子や受信電力情報などを記憶しておく。
従来では、例えば図１では、エリア推定の誤差を小さくするために、セルＣａ、Ｃｂに加え、セルＣｃの識別子を受信した場合（すなわち移動局装置Ｕａの位置にある場合）にＣＳＧセルのエリア内に居ると判断する。このため、セルＣｃの識別子を受信できない移動局装置Ｕｂの位置ではエリア外と判断する。言い換えれば、仮に基地局装置Ｎｃが省電力状態にある場合には、移動局装置Ｕａの位置であってもＣＳＧセルのエリア外と判断されることになる。
【００４９】
以上の事項を考慮しつつ、以下、本発明の実施形態について具体的に説明する。
【００５０】
［第１の実施形態］
以下、図２と図３を参照して、本発明の第１の実施形態について説明する。
【００５１】
図２は、本発明の第１の実施形態による基地局装置２００の概略を示すブロック図である。基地局装置２００は、受信部２０１、受信信号処理部２０２、上位レイヤ２０３、制御部２０６、送信信号処理部２０４、送信部２０５、受信アンテナＡＮ２１、送信アンテナＡＮ２２を具備する。図２において、基地局装置２００のその他の構成要素は本実施形態に関係ないため省略してある。
【００５２】
上位レイヤ２０３は、送信に必要な制御信号を制御部２０６へ出力する。また、移動局装置向けのトラフィックデータや制御信号や報知情報（システム情報を含む）などの送信情報を送信信号処理部２０４へ出力する。前記報知情報には当該基地局装置が省電力状態への切り替えに対応するか否かを示す情報（省電力情報）を含む。送信信号処理部２０４は、制御部２０６から入力される送信制御信号に基づき、上位レイヤ２０３から入力されるデータを符号化および変調し、下りリンク共用チャネルや同期シグナルや下りリンク参照信号とともに時間／周波数軸へ配置し、無線フレームを生成する。送信信号処理部２０４で生成された無線フレームは送信部２０５に出力される。送信部２０５は、送信信号処理部２０４で生成された無線フレームを、制御部２０６から入力される送信制御信号に基づき、既定の周波数の搬送波にのせ電力増幅を行う。送信部２０５から出力された信号は送信アンテナＡＮ２２から送信される。
【００５３】
また、上位レイヤ２０３は、受信に必要な制御信号を制御部２０６へ出力する。受信アンテナＡＮ２１で受信された信号は、受信部２０１へ入力される。受信部２０１は、制御部２０６から入力される受信制御信号に基づき、移動局装置から受信した信号をベースバンドのデジタル信号に変換する。変換された信号は、受信信号処理部２０２へ入力されて、制御部２０６から入力される受信制御信号に基づいて復調および復号される。受信信号処理部２０２は、正しく復号された制御データやトラフィックデータを上位レイヤ２０３へ出力する。
【００５４】
また、基地局装置２００は上位レイヤ２０３を通じて図示していない周辺基地局装置やアクセスゲートウェイとの通信を行う。
【００５５】
また、上位レイヤ２０３は、アクセスゲートウェイから省電力モード移行の指示を受けると、制御部２０６を通じて、各ブロックにおいて省電力モードで必要とされる機能以外の動作を停止する。例えば、送信部２０５を制御し、無線送信フレームのすべてあるいは一部の送信を停止する。
【００５６】
ここで、前記省電力情報はセルに関する他のパラメータと独立した情報であってもよいし、他のパラメータと関連付けられて設定される情報（例えば基地局装置のカテゴリ分けにおける一部のカテゴリに含まれる特徴）であってもよい。また、前記省電力情報は幾つかの種類があってもよく、例えば同期シグナルを停止する状態（移動局装置がセルの識別子を認識できない状態）や、下りリファレンスシグナルを含む信号の送信電力を小さくする（あるいは一部を送信しない）状態（移動局装置における受信電力が小さくなる状態）や、同期シグナルや下りリファレンスシグナルを含む信号を間欠送信（DTX; Discontinuous Transmission）する状態（移動局装置が間欠送信タイミングを知らないとセルの識別子を認識できない状態）など複数の省電力状態に関する実装の有無を表してもよい。また、省電力状態へ移行する頻度を表す情報（１日に数回、冬季限定など）を含んでもよい。
【００５７】
図３は、本発明の第１の実施形態による移動局装置３００の概略を示すブロック図である。移動局装置３００は、受信部３０１、受信信号処理部３０２、エリア識別部３０３、エリア登録部３０８、ＣＳＧセル−周辺セル情報対応テーブル３０９、上位レイヤ３０７、制御部３０６、送信信号処理部３０４、送信部３０５、受信アンテナＡＮ３１、送信アンテナＡＮ３２を具備する。図３において、移動局装置３００のその他の構成要素は本実施形態に関係ないため省略してある。
【００５８】
上位レイヤ３０７は、送信に必要な制御信号を制御部３０６へ出力する。また、上りリンクのトラフィックデータなどの送信情報を送信信号処理部３０４へ出力する。送信信号処理部３０４は、制御部３０６から入力される送信制御信号に基づき、上位レイヤ３０７から入力されるデータを符号化および変調し、参照信号とともに上りリンク送信信号を生成する。送信信号処理部３０４で生成された上りリンク送信信号は送信部３０５に出力される。送信部３０５は、送信信号処理部３０４で生成された上りリンク送信信号を、制御部３０６から入力される送信制御信号に基づき、既定の周波数の搬送波にのせ電力増幅を行う。送信部３０５から出力された信号は送信アンテナＡＮ３２から送信される。
【００５９】
また、上位レイヤ３０７は、受信に必要な制御信号を制御部３０６へ出力する。受信アンテナＡＮ３１で受信された信号は、受信部３０１へ入力される。受信部３０１は、制御部３０６から入力される受信制御信号に基づき、基地局装置２００から受信した信号をベースバンドのデジタル信号に変換する。変換された信号は、受信信号処理部３０２へ入力されて、制御部３０６から入力される受信制御信号に基づいて復調および復号される。受信信号処理部３０２は、正しく復号された制御データやトラフィックデータを上位レイヤ３０７へ出力する。
また、受信信号処理部３０２は受信した信号から周辺セルの識別子やその受信電力、必要であれば省電力情報の情報をエリア識別部３０３およびエリア登録部３０８へ出力する。エリア登録部３０８は、上位レイヤ３０７からのＣＳＧセルのエリア登録の指示により、受信された周辺セルの情報のうち少なくとも周辺セルの識別子と省電力情報とを登録するＣＳＧセルの識別子と紐付けて、ＣＳＧセル−周辺セル情報対応テーブル３０９に格納する。エリア識別部３０３は、受信信号処理部３０２から出力される周辺セル情報と、ＣＳＧセル−周辺セル情報対応テーブル３０９の周辺セル情報とを比較し、ＣＳＧセルのエリア内に居るか否かの判定を行う。判定された結果は上位レイヤ３０７へ通知される。
【００６０】
次に本実施形態におけるエリア登録およびエリア識別手法について説明する。
【００６１】
本実施形態においては、移動局装置３００はＣＳＧセルのエリア内においてエリア登録処理を行う。エリア登録の開始指示は移動局装置３００へのキー入力などによって行ってもよいし、ＣＳＧセルに接続できる状態にある場合に、移動局装置３００が自律的に行ってもよい。
【００６２】
まず移動局装置３００は、周辺セルの測定を行い、検出された周辺セルの同期シグナルから物理セル識別子、報知情報から省電力情報、さらにエリア推定誤りを軽減するために必要であればセルグローバル識別子やトラッキングエリア識別子や受信電力（あるいは報知情報に含まれる送信電力と実際の受信電力との差で求められるパスロス値）などをエリア登録部３０８で取得する。検出された周辺セルが複数の場合には上記処理をそれぞれのセルに対して行う。取得した前記情報はＣＳＧセルの識別子と紐付けられてＣＳＧセル−周辺セル情報対応テーブル３０９に格納される。また、前記ＣＳＧセル−周辺セル情報対応テーブルは、生成から一定期間を過ぎた場合に更新されることが望ましい。
【００６３】
次に移動局装置３００が前記ＣＳＧセル以外のセルに在圏している状態を想定する。移動局装置３００は在圏セルの識別子と周辺セルの識別子を取得し、エリア識別部３０３において、ＣＳＧセル−周辺セル情報対応テーブル３０９に格納されている情報との対比を行う。対比の結果、テーブル内のひとつのＣＳＧセルに紐付けられた識別子の組と、受信した在圏セルおよび周辺セルの識別子とが一致した場合には当該ＣＳＧセルのエリア内と判断する。また、移動局装置３００は、受信した識別子に含まれない識別子がテーブルに含まれる場合であっても、その識別子のセルが省電力情報によって同期シグナルを送信していない可能性のあるセルである場合にもエリア内と判断する。ただし、後者の場合はエリア外である可能性もあるため、ＣＳＧセルを検出するための処理を行う頻度を前者よりも下げることが望ましい。あるいは、受信した識別子に含まれない識別子がテーブルに含まれる場合であって、その識別子が省電力情報によって間欠送信を行っている可能性のあるセルである場合には、間欠送信周期に従って間欠受信処理を行うことによりエリア内であるか判断を行うことができる。
【００６４】
別の例としては、移動局装置３００は在圏セルの識別子と周辺セルの識別子および各受信電力を取得し、エリア識別部３０３において、ＣＳＧセル−周辺セル情報対応テーブル３０９との対比を行う。対比の結果、テーブル内のひとつのＣＳＧセルに紐付けられた識別子と受信電力の組と、受信した在圏セルおよび周辺セルの識別子と受信電力とが一致した場合には当該ＣＳＧセルのエリア内と判断する。また、移動局装置３００は、受信した識別子の受信電力がテーブルより小さい場合であっても、その識別子のセルが省電力情報によって送信電力を下げる可能性のあるセルである場合にもエリア内と判断する。
【００６５】
本実施形態により、基地局装置２００の省電力情報を予め移動局装置３００に報知しておき、移動局装置３００では省電力情報を考慮してＣＳＧセルエリア識別を行うことができるため、効率的にＣＳＧセルの検出を行うことが可能となる。
【００６６】
［第２の実施形態］
以下、図４と図５を参照して、本発明の第２の実施形態について説明する。
【００６７】
図４は、本発明の第２の実施形態による基地局装置４００の概略を示すブロック図である。基地局装置４００は、受信部４０１、受信信号処理部４０２、上位レイヤ４０３、制御部４０６、送信信号処理部４０４、送信部４０５、受信アンテナＡＮ４１、送信アンテナＡＮ４２を具備する。図４において、基地局装置４００のその他の構成要素は本実施形態に関係ないため省略してある。
【００６８】
上位レイヤ４０３は、送信に必要な制御信号を制御部４０６へ出力する。また、移動局装置向けのトラフィックデータや制御信号や報知情報（システム情報を含む）などの送信情報を送信信号処理部４０４へ出力する。前記報知情報には当該基地局装置のセルの周辺セルが省電力状態であるか否かを示す情報（周辺セル省電力情報）を含む。送信信号処理部４０４は、制御部４０６から入力される送信制御信号に基づき、上位レイヤ４０３から入力されるデータを符号化および変調し、下りリンク共用チャネルや同期シグナルや下りリンク参照信号とともに時間／周波数軸へ配置し、無線フレームを生成する。送信信号処理部４０４で生成された無線フレームは送信部４０５に出力される。送信部４０５は、送信信号処理部４０４で生成された無線フレームを、制御部４０６から入力される送信制御信号に基づき、既定の周波数の搬送波にのせ電力増幅を行う。送信部４０５から出力された信号は送信アンテナＡＮ４２から送信される。
【００６９】
また、上位レイヤ４０３は、受信に必要な制御信号を制御部４０６へ出力する。受信アンテナＡＮ４１で受信された信号は、受信部４０１へ入力される。受信部４０１は、制御部４０６から入力される受信制御信号に基づき、移動局装置から受信した信号をベースバンドのデジタル信号に変換する。変換された信号は、受信信号処理部４０２へ入力されて、制御部４０６から入力される受信制御信号に基づいて復調および復号される。受信信号処理部４０２は、正しく復号された制御データやトラフィックデータを上位レイヤ４０３へ出力する。
【００７０】
また、基地局装置４００は上位レイヤ４０３を通じて図示していない周辺基地局装置やアクセスゲートウェイとの通信を行う。
【００７１】
また、上位レイヤ４０３は、アクセスゲートウェイから省電力モード移行の指示を受けると、制御部４０６を通じて、各ブロックにおいて省電力モードで必要とされる機能以外の動作を停止する。例えば、送信部４０５を制御し、無線送信フレームのすべてあるいは一部の送信を停止する。
【００７２】
ここで、前記周辺セル省電力情報は、例えば周辺セルのうちの何れか１つでも省電力状態にある場合に真となる１ビットの情報であってもよいし、省電力状態にあるセルの識別子情報であってもよい。また、省電力状態に限らず、メンテナンスなどの目的で無線送信を停止している場合などを含めてもよい。１ビットの情報であれば報知情報の情報量を削減することができるし、識別子情報であれば移動局装置におけるエリア識別をより効率的に行うことが可能となる。
【００７３】
なお、周辺セルの省電力状態の情報は、ネットワーク上のサーバで管理される情報を参照することで取得してもよいし、Ｘ２インターフェースで取得された周辺セル情報（ENB CONFIGURATION）に含まれる省電力情報（Deactivation Indication）などを利用してもよいし、周辺セルから通知される省電力状態移行通知信号を利用してもよい。
【００７４】
図５は、本発明の第２の実施形態による移動局装置５００の概略を示すブロック図である。移動局装置５００は、受信部５０１、受信信号処理部５０２、エリア識別部５０３、エリア登録部５０８、ＣＳＧセル−周辺セル情報対応テーブル５０９、上位レイヤ５０７、制御部５０６、送信信号処理部５０４、送信部５０５、受信アンテナＡＮ５１、送信アンテナＡＮ５２を具備する。図３において、移動局装置５００のその他の構成要素は本実施形態に関係ないため省略してある。
【００７５】
上位レイヤ５０７は、送信に必要な制御信号を制御部５０６へ出力する。また、上りリンクのトラフィックデータなどの送信情報を送信信号処理部５０４へ出力する。送信信号処理部５０４は、制御部５０６から入力される送信制御信号に基づき、上位レイヤ５０７から入力されるデータを符号化および変調し、参照信号とともに上りリンク送信信号を生成する。送信信号処理部５０４で生成された上りリンク送信信号は送信部５０５に出力される。送信部５０５は、送信信号処理部５０４で生成された上りリンク送信信号を、制御部５０６から入力される送信制御信号に基づき、既定の周波数の搬送波にのせ電力増幅を行う。送信部５０５から出力された信号は送信アンテナＡＮ５２から送信される。
【００７６】
また、上位レイヤ５０７は、受信に必要な制御信号を制御部５０６へ出力する。受信アンテナＡＮ５１で受信された信号は、受信部５０１へ入力される。受信部５０１は、制御部５０６から入力される受信制御信号に基づき、基地局装置４００から受信した信号をベースバンドのデジタル信号に変換する。変換された信号は、受信信号処理部５０２へ入力されて、制御部５０６から入力される受信制御信号に基づいて復調および復号される。受信信号処理部５０２は、正しく復号された制御データやトラフィックデータを上位レイヤ５０７へ出力する。
【００７７】
また、受信信号処理部５０２は受信した信号から周辺セルの識別子やその受信電力の情報をエリア識別部５０３およびエリア登録部５０８へ出力する。エリア登録部５０８は、上位レイヤ５０７からのＣＳＧセルのエリア登録の指示により、受信された周辺セルの情報のうち少なくとも周辺セルの識別子を登録するＣＳＧセルの識別子と紐付けて、ＣＳＧセル−周辺セル情報対応テーブル５０９に格納する。エリア識別部５０３は、受信信号処理部５０２から出力される周辺セル情報と、ＣＳＧセル−周辺セル情報対応テーブル５０９の周辺セル情報とを比較し、ＣＳＧセルのエリア内に居るか否かの判定を行う。判定された結果は上位レイヤ５０７へ通知される。
【００７８】
次に本実施形態におけるエリア登録およびエリア識別手法について説明する。
【００７９】
本実施形態においては、移動局装置５００はＣＳＧセルのエリア内においてエリア登録処理を行う。エリア登録の開始指示は移動局装置５００へのキー入力などによって行ってもよいし、ＣＳＧセルに接続できる状態にある場合に、移動局装置５００が自律的に行ってもよい。
【００８０】
まず移動局装置５００は、周辺セルの測定を行い、検出された周辺セルの同期シグナルから物理セル識別子、さらにエリア推定誤りを軽減するために必要であればセルグローバル識別子やトラッキングエリア識別子や受信電力（あるいは報知情報に含まれる送信電力と実際の受信電力との差で求められるパスロス値）などをエリア登録部５０８で取得する。検出された周辺セルが複数の場合には上記処理をそれぞれのセルに対して行う。取得した前記情報はＣＳＧセルの識別子と紐付けられてＣＳＧセル−周辺セル情報対応テーブル５０９に格納される。また、前記ＣＳＧセル−周辺セル情報対応テーブルは、生成から一定期間を過ぎた場合に更新されることが望ましい。
【００８１】
次に移動局装置５００が前記ＣＳＧセル以外のセルに在圏している状態を想定する。移動局装置５００は在圏セルの識別子と周辺セルの識別子を取得し、エリア識別部５０３において、ＣＳＧセル−周辺セル情報対応テーブル５０９に格納されている情報との対比を行う。対比の結果、テーブル内のひとつのＣＳＧセルに紐付けられた識別子のうち、周辺セル省電力情報に含まれる識別子を除く組と、受信した在圏セルおよび周辺セルの識別子とが一致した場合には当該ＣＳＧセルのエリア内と判断する。また、周辺セル省電力情報が識別子でなく、少なくともひとつのセルが省電力状態であることを示す１ビットの情報である場合、受信した識別子に含まれない識別子がテーブルに含まれる場合であっても、エリア内と判断する。ただし、後者の場合はエリア外である可能性もあるため、ＣＳＧセルを検出するための処理を行う頻度を前者よりも下げることが望ましい。
【００８２】
また、周辺セル省電力情報に第１の実施形態で説明した省電力状態の実装の情報が含まれる場合には、第１の実施形態と同様に、その情報を考慮したエリア識別処理を行うことができる。例えば、周辺セルが間欠送信状態である場合には、間欠受信により識別子を取得してエリア識別を行うようにする。
【００８３】
本実施形態により、在圏セルの基地局装置４００が周辺セルの省電力情報を移動局装置５００に報知し、移動局装置５００では周辺セル省電力情報を考慮してＣＳＧセルエリア識別を行うことができるため、効率的にＣＳＧセルの検出を行うことが可能となる。
【００８４】
［第３の実施形態］
以下、図６乃至図８を参照して、本発明の第３の実施形態について説明する。
【００８５】
図６は、本発明の第３の実施形態による基地局装置６００の概略を示すブロック図である。基地局装置６００は、受信部６０１、受信信号処理部６０２、上位レイヤ６０３、制御部６０６、送信信号処理部６０４、送信部６０５、受信アンテナＡＮ６１、送信アンテナＡＮ６２を具備する。図６において、基地局装置６００のその他の構成要素は本実施形態に関係ないため省略してある。
【００８６】
上位レイヤ６０３は、送信に必要な制御信号を制御部６０６へ出力する。また、移動局装置向けのトラフィックデータや制御信号や報知情報（システム情報を含む）などの送信情報を送信信号処理部６０４へ出力する。送信信号処理部６０４は、制御部６０６から入力される送信制御信号に基づき、上位レイヤ６０３から入力されるデータを符号化および変調し、下りリンク共用チャネルや同期シグナルや下りリンク参照信号とともに時間／周波数軸へ配置し、無線フレームを生成する。送信信号処理部６０４で生成された無線フレームは送信部６０５に出力される。送信部６０５は、送信信号処理部６０４で生成された無線フレームを、制御部６０６から入力される送信制御信号に基づき、既定の周波数の搬送波にのせ電力増幅を行う。送信部６０５から出力された信号は送信アンテナＡＮ６２から送信される。
【００８７】
また、上位レイヤ６０３は、受信に必要な制御信号を制御部６０６へ出力する。受信アンテナＡＮ６１で受信された信号は、受信部６０１へ入力される。受信部６０１は、制御部６０６から入力される受信制御信号に基づき、移動局装置から受信した信号をベースバンドのデジタル信号に変換する。変換された信号は、受信信号処理部６０２へ入力されて、制御部６０６から入力される受信制御信号に基づいて復調および復号される。受信信号処理部６０２は、正しく復号された制御データやトラフィックデータを上位レイヤ６０３へ出力する。
【００８８】
また、基地局装置６００は上位レイヤ６０３を通じて図示していない周辺基地局装置やアクセスゲートウェイとの通信を行う。
【００８９】
また、上位レイヤ６０３は、アクセスゲートウェイから省電力モード移行の指示を受けると、制御部６０６を通じて、各ブロックにおいて省電力モードで必要とされる機能以外の動作を停止する。例えば、送信部６０５を制御し、無線送信フレームのすべてあるいは一部の送信を停止する。
【００９０】
図７は、本発明の第３の実施形態による移動局装置７００の概略を示すブロック図である。移動局装置７００は、受信部７０１、受信信号処理部７０２、エリア識別部７０３、エリア登録部７０８、ＣＳＧセル−周辺セル情報対応テーブル７０９、上位レイヤ７０７、制御部７０６、送信信号処理部７０４、送信部７０５、受信アンテナＡＮ７１、送信アンテナＡＮ７２を具備する。図７において、移動局装置７００のその他の構成要素は本実施形態に関係ないため省略してある。
【００９１】
上位レイヤ７０７は、送信に必要な制御信号を制御部７０６へ出力する。また、上りリンクのトラフィックデータなどの送信情報を送信信号処理部７０４へ出力する。送信信号処理部７０４は、制御部７０６から入力される送信制御信号に基づき、上位レイヤ７０７から入力されるデータを符号化および変調し、参照信号とともに上りリンク送信信号を生成する。送信信号処理部７０４で生成された上りリンク送信信号は送信部７０５に出力される。送信部７０５は、送信信号処理部７０４で生成された上りリンク送信信号を、制御部７０６から入力される送信制御信号に基づき、既定の周波数の搬送波にのせ電力増幅を行う。送信部７０５から出力された信号は送信アンテナＡＮ７２から送信される。
【００９２】
また、上位レイヤ７０７は、受信に必要な制御信号を制御部７０６へ出力する。受信アンテナＡＮ７１で受信された信号は、受信部７０１へ入力される。受信部７０１は、制御部７０６から入力される受信制御信号に基づき、基地局装置から受信した信号をベースバンドのデジタル信号に変換する。変換された信号は、受信信号処理部７０２へ入力されて、制御部７０６から入力される受信制御信号に基づいて復調および復号される。受信信号処理部７０２は、正しく復号された制御データやトラフィックデータを上位レイヤ７０７へ出力する。
また、受信信号処理部７０２は受信した信号から周辺セルの識別子やその受信電力をエリア識別部７０３およびエリア登録部７０８へ出力する。エリア登録部７０８は、上位レイヤ７０７からのＣＳＧセルのエリア登録の指示により、受信された周辺セルの情報のうち少なくとも周辺セルの識別子と省電力情報とを登録するＣＳＧセルの識別子と紐付けて、ＣＳＧセル−周辺セル情報対応テーブル７０９に格納する。エリア識別部７０３は、受信信号処理部７０２から出力される周辺セル情報と、ＣＳＧセル−周辺セル情報対応テーブル７０９の周辺セル情報とを比較し、ＣＳＧセルのエリア内に居るか否かの判定を行う。判定された結果は上位レイヤ７０７へ通知される。
【００９３】
次に本実施形態におけるエリア登録およびエリア識別手法について説明する。
【００９４】
本実施形態においては、移動局装置７００はＣＳＧセルのエリア内においてエリア登録処理を行う。エリア登録の開始指示は移動局装置７００へのキー入力などによって行ってもよいし、ＣＳＧセルに接続できる状態にある場合に、移動局装置７００が自律的に行ってもよい。
【００９５】
まず移動局装置７００は、周辺セルの測定を行い、検出された周辺セルの同期シグナルから物理セル識別子、さらにエリア推定誤りを軽減するために必要であればセルグローバル識別子やトラッキングエリア識別子や受信電力（あるいは報知情報に含まれる送信電力と実際の受信電力との差で求められるパスロス値）などをエリア登録部７０８で取得する。検出された周辺セルが複数の場合には上記処理をそれぞれのセルに対して行う。取得した前記情報はＣＳＧセルの識別子と紐付けられてＣＳＧセル−周辺セル情報対応テーブル７０９に格納される。また、前記ＣＳＧセル−周辺セル情報対応テーブルは、生成から一定期間を過ぎた場合に更新されることが望ましい。
【００９６】
さらに移動局装置７００は図８で示すシーケンスによって前記周辺セルが省電力状態となる可能性があるか否かの情報をＣＳＧセルから取得し、ＣＳＧセル−周辺セル情報対応テーブルに追記する。具体的には図８において、移動局装置７００は接続中のＣＳＧセルに対して省電力情報要求を行う（ステップＳ８１）。省電力情報要求には移動局装置７００がＣＳＧセル−周辺セル情報対応テーブルに含まれる当該ＣＳＧセルに紐付けされた周辺セルの識別子のリストを含める。
【００９７】
省電力情報要求を受信したＣＳＧセルの基地局装置６００は、省電力情報要求に含まれる周辺セルの識別子リストに対応する周辺セルの省電力情報を応答する（ステップＳ８２）。前記周辺セルの省電力情報は、ネットワーク上のサーバで管理される情報を参照することで取得してもよいし、Ｘ２インターフェースを用いて周辺セルから直接取得してもよい。前記省電力情報は第１の実施形態における省電力情報と同様の情報とすることができる。なお、移動局装置７００は、前記ステップＳ８１の省電力情報要求に識別子リストを入れず、要求の許可がＣＳＧセルから応答された場合にのみ識別子リストを送信してもよい。
エリア識別部の動作については第１の実施形態と同じであるため説明を省略する。
【００９８】
また、移動局装置７００は、省電力情報として、第１の実施形態で説明した省電力状態の実装の情報を含めてもよく、第１の実施形態と同様に、その情報を考慮したエリア識別処理を行うことができる。
【００９９】
本実施形態により、従来の基地局装置６００の報知情報に変更を加えることなく、周辺セルの省電力情報をＣＳＧセルの基地局装置６００から予め移動局装置７００に報知し、移動局装置７００では省電力情報を考慮してＣＳＧセルエリア識別を行うことができ、効率的にＣＳＧセルの検出を行うことが可能となる。
【０１００】
なお、以上説明した実施形態は単なる例示に過ぎず、様々な変形例、置換例、組み合わせを用いて実現することができる。
例えば、第１の実施形態と第２の実施形態を組み合わせ、基地局装置は自局の省電力情報と周辺セル省電力情報とを報知し、移動局装置は第１の実施形態のエリア登録を行い、エリア識別は自局のＣＳＧセル−周辺セル情報対応テーブルで保持する省電力情報と在圏セルから報知される周辺セル省電力情報とを組み合わせて判断することにより、より効率的にエリア識別を行うことができる。
【０１０１】
また、基地局装置および移動局装置の各部の機能またはこれらの機能の一部を実現するためのプログラムをコンピュータ読み取り可能な記録媒体に記録して、この記録媒体に記録されたプログラムをコンピュータシステムに読み込ませ、実行することにより各実施形態で示した制御を行なってもよい。なお、ここでいう「コンピュータシステム」とは、ＯＳや周辺機器等のハードウェアを含むものとする。
【０１０２】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【０１０３】
また、上記各実施形態に用いた各機能ブロックは、典型的には集積回路であるＬＳＩとして実現してもよい。各機能ブロックは個別にチップ化してもよいし、一部または全部を集積してチップ化してもよい。また、集積回路化の手法はＬＳＩに限らず専用回路または汎用プロセッサで実現してもよい。また、半導体技術の進歩によりＬＳＩに代替する集積回路化の技術が出現した場合、当該技術による集積回路を用いることも可能である。
【０１０４】
以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【０１０５】
２００、４００、６００…基地局装置
３００、５００、７００…移動局装置
２０１、３０１、４０１、５０１、６０１、７０１…受信部
２０２、３０２、４０２、５０２，６０２、７０２…受信信号処理部
３０３、５０３、７０３…エリア識別部
２０４、３０４、４０４、５０４，６０４、７０４…送信信号処理部
２０５、３０５、４０５、５０５，６０５、７０５…送信部
２０６、３０６、４０６、５０６，６０６、７０６…制御部
２０３、３０７、４０３、５０７、６０３、７０７…上位レイヤ
３０８、５０８、７０８…エリア登録部
３０９、５０９、７０９…ＣＳＧセル−周辺セル情報対応テーブル
ＡＮ２１、ＡＮ３１、ＡＮ４１、ＡＮ５１、ＡＮ６１、ＡＮ７１…受信アンテナ
ＡＮ２２、ＡＮ３２、ＡＮ４２、ＡＮ５２、ＡＮ６２、ＡＮ７２…送信アンテナ
【図１】
2011223081.tif 000003
【図２】
2011223081.tif 000004
【図３】
2011223081.tif 000005
【図４】
2011223081.tif 000006
【図５】
2011223081.tif 000007
【図６】
2011223081.tif 000008
【図７】
2011223081.tif 000009
【図８】
2011223081.tif 000010